【事件の表示】
　特許第３２４６４５５号「脱穀機」の請求項１に係る特許に対する特許異議の申立てについて、次のとおり決定する。
【結　論】
　訂正を認める。
　特許第３２４６４５５号の請求項１に係る特許を維持する。
【理　由】
１．手続の経緯
　特許第３２４６４５５号の請求項１に係る発明についての出願は、平成４年７月２３日に出願された特願平４ー１９７１１３号の一部を平成１０年１０月２６日に新な特許出願としたものであって、平成１３年１１月２日にその発明について特許権の設定登録がなされ、その後、その特許について、異議申立人セイレイ工業株式会社により特許異議の申立てがなされ、取消の理由が通知され、その指定期間内である平成１５年４月１４日に訂正請求がなされたものである。
　
２．訂正の適否についての判断
ア．訂正の内容
（ａ）特許請求の範囲の請求項１の、「フイードチェン８と挟持レール９とによって、穀稈を搬送しながら扱室３内に設けている扱胴２にて脱穀し、脱穀後の排ワラをフィードチェン８の搬送下手側に設けている排ワラ搬送チェン３２にて後方の排ワラ処理装置４３へ搬送するよう構成すると共に、扱室３の下方に設けている揺動選別棚３７の選別終端側の上方に横断流ファン２９設けてなる脱穀機において、前記排ワラ処理装置４３は、機体の左右横方向の外側に設ける上下方向の支点の−方側の支点周りに回動可能に構成し、前記横断流ファン２９は、機体の左右横方向の外側に設ける上下方向の支点の他方側の支点周りに回動可能に構成したことを特徴とする脱穀機。」を、
「フィードチェン８と挟持レ−ル９とによって、穀稈を搬送しながら扱室３内に設けている扱胴２にて脱穀し、脱穀後の排ワラをフイードチェン８の搬送下手側に設けている排ワラ搬送チェン３２にて後方の排ワラ処理装置４３へ搬送するよう構成すると共に、扱室３の下方に設けている揺動選別棚３７の選別終端側の上方に横断流ファン２９設けてなる脱穀機において、前記排ワラ処理装置４３は、機体の左右横方向の外側に設ける上下方向の支点の一方側の支点周りに回動可能に構成し
、前記横断流ファン２９は、機体の左右横方向の外側に設ける上下方向の支点の他方側の支点周りに回動可能に構成し、前記排ワラ搬送チェン３２は、前記扱室３の上部を覆う扱胴カバー１２に一体的に装着支持して該扱胴カバー１２と共に上下方向に揺動開閉し得るように構成し、排ワラ搬送チェン３２を扱胴カバー１２によって上方に揺動開閉することにより、排ワラ搬送チェン３２の排ワラ挟持杆３３の上方が開放され、前記横断流ファン２９及び横断流ファン２９のケーシング３０の外側方への揺動開放ができるように構成
（ｂ）明細書の段落【０００５】の
「【課題を解決するための手段】本発明は、上記技術的課題を解決するために次のような技術的手段を講じる。すなわち、フィードチェン８と挟持レール９とによって、穀稈を搬送しながら扱室３内に設けている扱胴２にて脱穀し、脱穀後の排ワラをフィードチェン８の搬送下手側に設けている排ワラ搬送チェン３２にて後方の排ワラ処理装置４３へ搬送するよう構成すると共に、扱室３の下方に設けている揺動選別棚３７の選別終端側の上方に横断流ファン２９設けてなる脱穀機において、前記排ワラ処理装置４３は、機体の左右横方向の外側に設ける上下方向の支点の一方側の支点周りに回動可能に構成し、前記横断流ファン２９は、機体の左右横方向の外側に設ける上下方向の支点の他方側の支点周りに回動可能に構成したことを特徴とする脱穀機とする。」を、
「【課題を解決するための手段】本発明は、上記技術的課題を解決するために次のような技術的手段を講じる。すなわち、フィードチェン８と挟持レール９とによって、穀稈を搬送しながら扱室３内に設けている扱胴２にて脱穀し、脱穀後の排ワラをフイードチェン８の搬送下手側に設けている排ワラ搬送チェン８２にて後方の排ワラ処理装置４３へ搬送するよう構成すると共に、扱室３の下方に設けている揺動選別棚３７の選別終端側の上方に横断流ファン２９設けてなる脱穀機において、前記排ワラ処理装置４３は、機体の左右横方向の外側に設ける上下方向の支点の一方側の支点周りに回動可能に構成し、前記横断流ファン２９は、機体の左右横方向の外側に設ける上下方向の支点の他方側の支点周りに回動可能に構成し
、前記排ワラ搬送チェン３２は、前記扱室３の上部を覆う扱胴カバー１２に一体的に装着支持して該扱胴カバー１２と共に上下方向に揺動開閉し得るように構成し、排ワラ搬送チェン３２を扱胴カバー１２によって上方に揺動開閉することにより、排ワラ搬送チェン３２の排ワラ挟持杆３３の上方が開放され、前記横断流ファン２９及び横断流ファン２９のケーシング３０の外側方への揺動開放ができるように構成
　
イ．訂正の目的の適否、新規事項の有無、及び拡張・変更の存否
　上記訂正事項（ａ）は、排ワラ搬送チェン３２の配置を特定すると共に、扱胴カバーの開閉時における排ワラ搬送チェン３２と排ワラ挟持杆３３との配置関係および横断流ファン及びそのケーシングの開放態様を特定したものであるから、特許請求の範囲の減縮を目的とした明細書の訂正に該当する。
　上記訂正事項（ｂ）は、上記（ａ）の訂正に伴い、これと整合を図るものであるから、明りょうでない記載の釈明を目的とした明細書の訂正に該当する。
　そして、上記訂正事項（ａ）、（ｂ）は、本件特許明細書段落【００１４】に記載されているから、新規事項の追加に該当せず、また特許請求の範囲を実質的に拡張または変更するものではない。
　
ウ．むすび
　以上のとおりであるから、上記訂正は、特許法等の一部を改正する法律（平成６年法第１１６号）附則第６条第１項の規定によりなお従前の例によるとされる、特許法第１２０条の４第３項において準用する平成６年法律１１６号による改正前の特許法第１２６条第１項ただし書、第２項及び第３項の規定に適合するので、当該訂正を認める。
　
３．特許異議の申立てについて
ア．申立ての理由の概要
　申立人セイレイ工業株式会社は、甲第１〜５号証を提出し、請求項１に係る発明は、甲第１〜５号証に記載の発明に基づいて当業者が容易に発明をすることができたものであるから、請求項１に係る発明の特許は、特許法第２９条第２項の規定に違反してなされたものであり取り消されべきものである旨主張している。
　　
イ．本件発明
　特許第３２４６４５５号の請求項１に係る発明（以下、本件発明という。）は、上記訂正に係る訂正明細書の特許請求の範囲の請求項１に記載された次の事項により特定されるとおりのものである。
「【請求項１】フィードチェン８と挟持レ−ル９とによって、穀稈を搬送しながら扱室３内に設けている扱胴２にて脱穀し、脱穀後の排ワラをフイードチェン８の搬送下手側に設けている排ワラ搬送チェン３２にて後方の排ワラ処理装置４３へ搬送するよう構成すると共に、扱室３の下方に設けている揺動選別棚３７の選別終端側の上方に横断流ファン２９設けてなる脱穀機において、前記排ワラ処理装置４３は、機体の左右横方向の外側に設ける上下方向の支点の一方側の支点周りに回動可能に構成し、前記横断流ファン２９は、機体の左右横方向の外側に設ける上下方向の支点の他方側の支点周りに回動可能に構成し、前記排ワラ搬送チェン３２は、前記扱室３の上部を覆う扱胴カバー１２に一体的に装着支持して該扱胴カバー１２と共に上下方向に揺動開閉し得るように構成し、排ワラ搬送チェン３２を扱胴カバー１２によって上方に揺動開閉することにより、排ワラ搬送チェン３２の排ワラ挟持杆３３の上方が開放され、前記横断流ファン２９及び横断流ファン２９のケーシング３０の外側方への揺動開放ができるように構成したことを特徴とする脱穀機。」　
　
ウ．甲号証記載の発明
　甲第１号証（特開昭５３ー２２６０号公報）には、
「図は、コンバイン搭載の脱穀装置を示し、横一側部に架設されたフイ−ドチェ−ン（１）で穀稈株元部を挟持搬送しながら、扱室（Ａ）内に受け入れられた穀稈穂先部を回転駆動される扱胴（２）の下側を通過させて脱穀処理し、排ワラを排ワラチェーン（３）で後部排ワラカッタ−（４）の上部に搬送するように構成されている。前記扱室（Ａ）の下側には、扱室始端側から扱室終端側に向けて送風する唐箕（５）及び扱室始端側から扱室終端側に向けての搬送作用を有し且つ扱室終端よりも後方に延出される揺動選別板（６）からなる選別部（Ｂ）が設けられるとともに，この選別部（Ｂ）の終端上方箇所には、吸風口（７ａ）が選別部（Ｂ）上手側に向けて開口され、排風口（７ｂ）が下方装置外に向けて開口された横断流ファン（７）が選別部（Ｂ）の横巾全巾に亘って配置されている。」（１頁右欄１７行〜２頁左上欄１３行）と記載されている。
　甲第２号証（実願昭５１ー６４９０２号（実開昭５２ー１５７４６０号）のマイクロフイルム）には、
「箱型ケース（１）の前半部上方に横方向に扱室（２）と処理室（３）とを配設し、この両室（２）、（３）の下方に選別室（４）を設けると共に、前記ケース（１）の後半部分を排塵室（５）にしてある。（６）は前記扱室（２）の横側方に設けたフィードチェーンで、穀稈を前方から後方に向つて挟持搬送しながら、前記扱室（２）内に穀稈を入れ、扱室（２）内で扱脱穀し、前記排塵室（５）の上部を通って、機体の後方に排ワラを放出するように構成してある。」（４頁第１３行〜５頁１行），
「（１１）は前記選別室（４）の上部に設けた揺動選別機で、前記濾過物や落下口（８）から落下した残留物を後方に向つて揺動移送しながら揺動選別し、比重の大きいものから順次落下させるように構成してある。」（５頁１０行〜１４行）、
「前記排塵室（５）の後方上部には横方向軸芯をもって、その横幅の略全幅にわたってフィン（１５）・・を同数同形設けた横断流ファン（１６）を設け、このフィン（１５）の外周に沿って筒状のケーシング（１７）を外嵌させてある。前記ケーシング（１７）の前部下部には横幅全体にわたって吸引口（１８）が形成してあり、同じく後部下部には横幅全体にわたって排塵口（１９）が形成してある。」（６頁４行〜１１行）と記載されている。
 甲第３号証（実願昭６１ー３１５１５号（実開昭６２ー１４２２３０号）のマイクロフイルム）には、
「第１図に示す如く、排藁カッターａの機枠１を、脱穀部ｂの機枠２に、その排藁カッターａの機枠１の左右の一端側を軸支点ｃとして前後に自在に回動するように装架し、その排藁カッターａの機枠１の回動端部に、折り畳み格納自在に支脚ｄを設けておいて、脱穀部ｂの機内の清掃・点検を行う際には、排藁カッターａの機枠１を軸支点ｃにより後方に回動させて、その軸支点ｃと支脚ｄとで回動させた位置に支持させることで、脱穀部ｂの機体後面を開放状態とする」（２頁１４行〜３頁８行）と記載されている。
 甲第４号証（実願平２ー６４７４６号（実開平４ー２４４３１号）のマイクロフイルム）には、
「第４図に示されるように、カッターＤ等のアタッチメント作業機を取付けた場合にあっては、塵埃物放出時は放出を下方へ指向させるように構成されているため、カッターＤ内に排塵物及び塵埃物が入り込むことがないのでカッターＤを衛生的に使用することができる。また、ここで使用されているカッターＤは、外部ケース１０を本機に対して開閉自在となるように配設されているため、カッターＤを装着したまま横断流ファンＴ５等のメンテナンス作業を行うことができるように構成されている。」（９頁１６行〜１０頁６行）と記載されている。
　甲第５号証（実願平２ー８００２９号（実開平４−３８２４０号）のマイクロフイルム）には、
「揺動選別機構における終端部の上方における選別室に、機外への吸引式排塵ファンを配設して成る脱穀選別装置において、前記扱室の一側面における側面板と前記選別室の一側面における側面板とを一体化した側面部材に構成して、この側面部材に前記フィードチェンを装着する一方、前記側面部材を、前記選別室における終端部近傍の部位を中心にして外向きに開き回動可能に構成し、更に、前記側面部材に、前記吸引式排塵ファンを、当該排塵ファンにおける吸引口が前記選別室内にのぞむように装着する構成にした。〜しかも、前記側面部材に、前記選別室に対する吸引式の排塵ファンを設けたことにより、この側面部材の外向きへの開き回動によって、前記排塵ファンを選別室から引き出すことができる。従って、本考案によると、扱室内に対する点検・清掃が至極容易にできると共に、選別室、及び当該選別室の吸引式排塵ファンに対する点検・清掃をも至極容易に行うことができる効果を有する。」（４頁１行〜５頁４行）、
「図において符号１は、コンバインを示し、〜走行車体３に、〜刈取前処理装置４と、〜脱穀選別装置５と、〜穀物タンク６と、前記脱穀選別装置５で脱穀した後の排藁を切断するための排藁カッター装置７とを搭載したものに構成されている。」（５頁９〜１７行）と記載され、
第２図には、排藁カッター装置７は、脱穀選別装置５の後面に沿った体勢（実線図示体勢）と、その体勢から、フィードチェン２４とは反対側の機体左右横方向の外側に設ける上下方向の支点周りに回動して後方に開動した体勢（仮想線図示体勢）とに変わることが記載されている。
　
エ．対比・判断
　本件発明と甲第１〜５号証に記載の発明を対比すると、甲第１〜５号証には、本件発明の構成要件である「排ワラ搬送チェンは、扱室の上部を覆う扱胴カバーに一体的に装着支持して該扱胴カバーと共に上下方向に揺動開閉し得るように構成し、搬送チェンを扱胴カバーによって上方に揺動開閉することにより、排ワラ搬送チェンの排ワラ挟持杆の上方が開放され、前記横断流ファン及び横断流ファンのケーシングの外側方への揺動開放ができるように構成している」ことについての記載も、このことを示唆する記載も認められない。
　そして、本件発明は、上記構成要件を備えることにより、明細書記載の顕著な効果を奏するものであるから、甲第１〜５号証記載の発明に基づいて当業者が容易に発明をすることができたものとすることはできない。
　
オ．むすび
　以上のとおりであるから、特許異議申立ての理由および証拠によっては、請求項１に係る発明の特許を取り消すことはできない。
　また、他に請求項１に係る発明の特許を取り消すべき理由を発見しない。
　したがって、請求項１に係る発明についての特許は拒絶の査定をしなければならない特許出願に対してなされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年８月１８日（２００３．８．１８）
【訂正の要旨】
審決（決定）の【理由】欄参照。
（５４）【発明の名称】
脱穀機
（５７）【特許請求の範囲】
　【請求項１】　フィ−ドチェン８と挟持レ−ル９とによって、穀稈を搬送しながら扱室３内に設けている扱胴２にて脱穀し、脱穀後の排ワラをフィ−ドチェン８の搬送下手側に設けている排ワラ搬送チェン３２にて後方の排ワラ処理装置４３へ搬送するよう構成すると共に、扱室３の下方に設けている揺動選別棚３７の選別終端側の上方に横断流ファン２９設けてなる脱穀機において、前記排ワラ処理装置４３は、機体の左右横方向の外側に設ける上下方向の支点の一方側の支点周りに回動可能に構成し、前記横断流ファン２９は、機体の左右横方向の外側に設ける上下方向の支点の他方側の支点周りに回動可能に構成し
、前記排ワラ搬送チェン３２は、前記扱室３の上部を覆う扱胴カバー１２に一体的に装着支持して該扱胴カバー１２と共に上下方向に揺動開閉し得るように構成し、排ワラ搬送チェン３２を扱胴カバー１２によって上方に揺動開閉することにより、排ワラ搬送チェン３２の排ワラ挾持杆３３の上方が開放され、前記横断流ファン２９及び横断流ファン２９のケーシング３０の外側方への揺動開放ができるように構成
【発明の詳細な説明】
　【発明の属する技術分野】
　本発明は、排ワラ処理装置を有する脱穀機に関する。
　【従来の技術】
　従来、扱胴を有する扱室の下方に揺動選別棚を配置すると共に、揺動選別棚の選別終端側の上方に拝塵ファンを配置する脱穀機は周知である。またこの種の脱穀機において、脱穀作業終了後のメンテナンスに関して排ワラ処理装置内の排ワラカッタ−のメンテナンスをするために排ワラ処理装置を開放する技術は知られている。
　【発明が解決しようとする課題】
　脱穀作業終了後のメンテナンスについては、扱室、扱胴等が配置している脱穀機前部のみならず、揺動選別棚や拝塵ファンといった脱穀機後部側の装置のメンテナンスも必要となってくる。
　しかしながら脱穀機の後部側については、揺動選別棚の終端部の上方に拝塵ファンを配置している構成のため、排ワラ処理装置のみ開放する技術にのみにおいては、メンテナンスにあたって揺動選別棚、及び拝塵ファンの双方がそれぞれ障害になっており、これらの装置のメンテナンスにあたっては煩雑で困難なものとなっていた。
　本発明は、脱穀作業終了後のメンテナンスにあたって、揺動選別棚と拝塵ファンとの配置位置関係を変更可能にすることにより、揺動選別棚、及び拝塵ファンそれぞれのメンテナンスを容易にすることを目的とする。
　【課題を解決するための手段】
　本発明は、上記技術的課題を解決するために次のような技術的手段を講じる。すなわち、フィ−ドチェン８と挟持レ−ル９とによって、穀稈を搬送しながら扱室３内に設けている扱胴２にて脱穀し、脱穀後の排ワラをフィ−ドチェン８の搬送下手側に設けている排ワラ搬送チェン３２にて後方の排ワラ処理装置４３へ搬送するよう構成すると共に、扱室３の下方に設けている揺動選別棚３７の選別終端側の上方に横断流ファン２９設けてなる脱穀機において、前記排ワラ処理装置４３は、機体の左右横方向の外側に設ける上下方向の支点の一方側の支点周りに回動可能に構成し、前記横断流ファン２９は、機体の左右横方向の外側に設ける上下方向の支点の他方側の支点周りに回動可能に構成し
、前記排ワラ搬送チェン３２は、前記扱室３の上部を覆う扱胴カバー１２に一体的に装着支持して該扱胴カバー１２と共に上下方向に揺動開閉し得るように構成し、排ワラ搬送チェン３２を扱胴カバー１２によって上方に揺動開閉することにより、排ワラ搬送チェン３２の排ワラ挾持杆３３の上方が開放され、前記横断流ファン２９及び横断流ファン２９のケーシング３０の外側方への揺動開放ができるように構成
　【発明の作用効果】
　穀稈はフィ−ドチェン８と挟持レ−ル９とにより挟持搬送されながら、扱胴３にて脱穀される。脱穀後の排ワラはフィ−ドチェン８から排ワラ搬送チェン３２に引継ぎ搬送されて、排ワラ処理装置４３へと送られる。そして、排ワラ処理装置４３にて処理されて、機外へと排出される。
　脱穀機後部のメンテナンスを行なうときには、排ワラ処理装置４３は、機体の左右横方向の外側に設ける上下方向の支点の一方側の支点周りに外方へ回動させ、また、横断流ファン２９は、機体の左右横方向の外側に設ける上下方向の支点の他方側の支点周りに外方へ回動させる。
　すると、揺動選別棚３７と横断流ファン２９との配置位置が変更され、揺動選別棚３７の選別終端側の上方における空間部が広がると共に、横断流ファン２９も下方における空間部が広がるため、揺動選別棚３７及び横断流ファン２９の双方ともメンテナンスが容易になる。
　しかも、このとき、排ワラ処理装置４３と横断流ファン２９は共に、機体の左右横方向の外側に設けた上下方向の支点を中心として、各々独立して回動するものであるから、作業者は機体幅内に入り込んでこれらの点検、清掃等のメンテナンス作業を容易に行なうことができる。
　【発明の実施の形態】
　図例において、扱室３は、前側板４、後側板５、側枠６等によって枠組構成してあり、そして、この扱室３内には機体前後向き軸芯１周りに回転する扱胴２を架設し、該扱室の少なくとも下半周部に沿っては受網７を張設すると共に、スライド着脱自在に構成している。扱室一側にはフィードチエン８を張設すると共に、この上側に対設する挟持レール９とによって穀稈を挟持搬送するように構成している。
　そして、かかるフィードチエン８は、チエンレール１０と共に、この始端側には設けた上下方向支軸１１周りに揺動開閉可能に構成している。１０Ａはチエン支持フレーム、１１Ａは機台から突設する支柱であって、扱室の固定側前側板４Ａから突設する支持ステー１１Ｂによって強固に保持してあり、そして、前記チエン支持フレーム１０Ａを前記支軸１１周りに回動自在に装着している。
　また、扱室３の上部を覆う扱胴カバー１２には前記フィードチエン８の挟持レール９を装着してあり、そして、該カバー１２は前後方向の横軸１３を支点として上下方向に揺動開閉可能に構成している。
　処理室１４は、扱室３のフィードチエン８側とは反対側の側部に並設されていて、この扱室３から送り出される処理物を受け入れてこの軸方向後方に移送しながら処理する処理胴１５を内装軸架している。
　また、この処理室１４には処理胴受網１６を張設して脱粒処理された穀粒を下方の選別部に漏下させるように構成している。処理胴受網１６は扱室３側に向けて引き抜くことができるように構成してあり、普段は扱室３の側枠６によって係止保持している。
　前記処理胴１５は、前記扱胴カバー１２に軸受部材１７を介して架設し、該扱胴カバー１２と一体的に横軸１３を支点として上下方向に揺動開閉するよう構成している。１８は処理胴軸で、エンジン側からカウンター軸１９を介してベルト伝動されるように構成している。
　排塵室２１は、前記処理室１４の終端に至った送塵口２０からの処理物を受け入れて後方へ移送しながら排塵処理するもので、排塵胴２２を内装軸架し、外周適所には排塵胴受網２３を張設している。そして、この排塵室の終端側には排塵口２４を設けている。
　扱室３内に供給される穀稈は、扱胴２によって脱穀処理される。扱室３内で発生したワラ屑や未処理粒等の処理物は途中部から処理室１４内へ送られ、処理胴１５によって後方に移送されながら脱粒処理されると共に、更に、これより排塵室２１内へ送られる。そして、排塵室２１内では排塵胴２２によって後方に移送されながら脱粒処理される。各室１４，２１内で脱粒処理された穀粒は各受網１６，２３から下方の選別室に漏下し、ワラ屑などの排塵処理物は排塵口２４から機外に排出される。
　そして、前記扱室３は、下方の選別室及び前記処理室１４に対し、扱胴２及び受網７が一体で外開き可能に構成するが、つまり、扱室３の前端側でかつ処理室１４側に位置する機体側フレーム２５に設けた縦軸２６を回動支点として左右横方向に揺動開閉するよう構成している。処理室１４と排塵室２１との連通口部付近で扱室を分割構成することにより、該扱室を揺動開放させたとき、作業者は排塵胴部まで身体ごと入れることができ排塵室内の残留籾の除去や清掃、点検が容易となる。
　扱室３後方の左右側板２７，２８は、横断流ファン２９のケーシング３０によって連結保持している。３１は補強フレームである。
　脱穀後の排ワラを搬送する排ワラ搬送チエン３２は、前記扱胴カバー１２に一体的に装着支持してあり、該扱胴カバー１２と共に上下方向に揺動開閉し得るよう構成している。３３は排ワラ挟持杆である。
　排ワラ搬送チエン３２への駆動は、処理胴軸１８からベルト伝動機構３４及びギヤ伝動機構３５を介して動力伝達するよう連動構成している。
　なお、前記ファン２９及びケーシング３０は、左右側板２７，２８の一部とが一体となって上下方向の支点軸３６周りに揺動開閉可能に構成している。従って、排ワラ搬送チエン３２を扱胴カバー１２によって上方に揺動開放すれば、排ワラ挟持杆３３の上方が開放されるため、前記ファン２９及びケーシング３０の外側方への揺動開放が容易にでき、選別室内の掃除や点検、ファンの点検整備等が容易となる。
　扱室下方の選別室には揺動選別棚３７が配置されている。３８は１番揚穀筒で、グレンタンク３９に連通している。４０は２番揚穀筒で、この２番揚穀筒４０は選別部からの２番物を前記処理室１４の前端側に還元してこの処理室内で再処理するように連通してあり、そして、この処理室内で処理されたものは開口部４１から下方の揺動選別棚３７上に戻すように構成している。
　４２は扱室の係止ロック機構、４３は排ワラカッターで、上下方向の支点Ｐ周りに揺動開閉し得る構成としている。
【図面の簡単な説明】
　【図１】
　脱穀機要部の扱室揺動開放状態を示す平面図である。
　【図２】
　脱穀機の要部の斜視図である。
　【図３】
　脱穀機要部の伝動機構図である。
　【図４】
　脱穀機要部の正断面図である。
　【図５】
　脱穀機要部の正断面図である。
　【符号の説明】
　　１　　扱胴軸　　　　　　　　　２　　扱胴
　　３　　扱室　　　　　　　　　　４　　前側板
　　５　　後側板　　　　　　　　　６　　側枠
　　７　　受網　　　　　　　　　　８　　フィードチエン
　　９　　挟持レール　　　　　　１０　　チエンレール
　１１　　支軸　　　　　　　　　１２　　扱胴カバー
　１３　　横軸　　　　　　　　　１４　　処理室
　１５　　処理胴　　　　　　　　１６　　処理胴受網
　１７　　軸受部材　　　　　　　１８　　処理胴軸
　１９　　カウンター軸　　　　　２０　　送塵口
　２１　　排塵室　　　　　　　　２２　　排塵胴
　２３　　排塵胴受網　　　　　　２４　　排塵口
　２５　　機体側フレーム　　　　２６　　縦軸
　２７　　左側板　　　　　　　　２８　　右側板
　２９　　横断流ファン　　　　　３０　　ケーシング
　３１　　補強フレーム　　　　　３２　　排ワラ搬送チエン
　３３　　排ワラ挟持杆　　　　　３４　　ベルト伝動機構
　３５　　ギヤ伝動機構　　　　　３６　　支点軸
　３７　　揺動選別棚　　　　　　３８　　１番揚穀筒
　３９　　グレンタンク　　　　　４０　　２番揚穀筒